(57)【特許請求の範囲】
【請求項１】
制御信号を送信するリモコン送信部を内蔵し、そのリモコン送信部の上方にシールド材が配置された食卓台と、発熱体ユニットと前記制御信号を受信するリモコン受信部とその受信した前記制御信号に応じて前記発熱体ユニットの発熱量を制御する制御部が配置されたやぐら本体とよりなる電気やぐらこたつにおいて、前記発熱体ユニットは金属よりなる反射板の下方に配置された電気発熱体を有し、かつ前記リモコン受信部が前記反射板の上方に配置されていることを特徴とする電気やぐらこたつ。
【請求項２】
前記発熱体ユニットと制御部とは所定の間隙を隔てて同一の保護ガード上に固定されており、その保護ガードを、前記間隙にやぐら本体を構成する桟が位置するようにやぐら本体に取り付けたことを特徴とする請求項１記載の電気やぐらこたつ。
【発明の詳細な説明】
【０００１】
【発明の属する技術分野】
本発明は、やぐらこたつ本体に配置された発熱体の温度制御を食卓台に内蔵された操作部からこたつ布団を介してワイヤレスで操作できるようにした電気やぐらこたつに関するもので、特に、外部よりのノイズに影響されないシールド手段に特徴を有するものである。
【０００２】
【従来の技術】
従来より、電気こたつの温度調節をするための操作は、電源コードの中間に設けられた温度制御用のコントローラにより行うものと、発熱体ユニットの側面などに設けられた温度調節器のツマミによって行なわれている。近年になり、例えば実公平４−２６８１０号に開示のようにワイヤレスリモコンで食卓台の上で温度調節を行うものが知られている。
【０００３】
図５は実公平４−２６８１０号に開示の電気やぐらこたつの概要を示すものであり、やぐら本体１には発熱体ユニット３、温度制御を行う制御回路部５と食卓台２に内蔵されたリモコン送信コイル７より発信される制御信号を受信する受信コイル４とが設けられている。やぐら本体１にはこたつ布団８が掛けられ、そのこたつ布団８の上に食卓台２が載置される。その食卓台２は表面板１０、裏面側１１および側板１２よりなる平板状の箱体であり、表面板１０の裏面に外部ノイズを遮蔽するシールド材としてアルミ板１３が配置されている。操作部６の操作による発熱体ユニット３の温度アップ、温度低下、電源の入り／切りに応じて発生される制御信号は送信コイル７に印加される。その制御信号は電磁誘導により前記受信コイル４に伝送されワイヤレス接続によりやぐら本体１側に伝送され、その制御信号に応じて制御回路部５により発熱体ユニット３の発熱状態を制御する。
【０００４】
【発明が解決しようとする課題】
このような構成の電気やぐらこたつは、食卓台２の上部に電磁調理器や電子レンジ、あるいはコードレスホン等の家庭用電気製品を置いた時、又は、これらを電気こたつ近傍に置いた時、それらから発生するノイズによりリモコンが誤動作するという問題があった。そのため食卓台２の内部にアルミ板１３を配置し、上部からのノイズを遮蔽したものであるが、前述の電気製品を電気やぐらこたつの近傍に置いた時はアルミ板１３が食卓台２の上部のみであるため、外部ノイズを遮蔽する効果が不十分であった。また、発熱体ユニット３と制御回路部５は制御回路部５の電子部品が熱の影響を受けるため離れた位置に別々に取り付けられ、受信コイル４もやぐら周辺に配置した構造であるため、電気やぐらこたつを組立てる構造が複雑になり、組立てにくい構造であった。
【０００５】
【課題を解決するための手段】
この課題を解決するために本発明の電気やぐらこたつは、上面側のノイズの遮蔽は従来と同様に食卓台の表面板の裏面にアルミ箔等のシールド材を配置することにより行い、電気やぐらこたつの下面及び近傍からのノイズの遮蔽は発熱体ユニットの反射板自体がシールド材を兼ね備えた構造とし、発熱体ユニットの略中央に受信アンテナを配置したものである。すなわち、食卓台のシールド材と発熱体ユニットの反射板（シールド材）の間にリモコン送信部と受信アンテナを配置することにより、外部ノイズの影響を受けにくいワイヤレス制御が実現したものである。
【０００６】
【発明の実施の形態】
本発明の請求項１記載の電気やぐらこたつは、制御信号を送信するリモコン送信部を内蔵し、そのリモコン送信部の上方にシールド材が配置された食卓台と、発熱体ユニットと前記制御信号を受信するリモコン受信部とその受信した前記制御信号に応じて前記発熱体ユニットの発熱量を制御する制御部が配置されたやぐら本体とよりなる電気やぐらこたつにおいて、前記発熱体ユニットは金属よりなる反射板の下方に配置された電気発熱体を有し、かつ前記リモコン受信部が前記反射板の上方に配置されていることを特徴とするものであり、上面側のノイズの遮蔽は食卓台の表面板の裏面にアルミ箔等のシールド材を配置し、電気こたつの下面及び近傍からのノイズの遮蔽は発熱体ユニットの反射板自体がシールド材を兼ね備えた構造としたものである。すなわち、食卓台のシールド材と発熱体ユニットの反射板（シールド材）の間にリモコン送信部と受信アンテナを配置することにより、コードレスホンなどの外部ノイズの影響を受けにくいワイヤレス制御が実現しうるものである。
【０００７】
次に、本発明の請求項２に記載された電気やぐらこたつは、請求項１記載の電気やぐらこたつにおいて、前記発熱体ユニットと制御部とは所定の間隙を隔てて同一の保護ガード上に固定されており、その保護ガードを、前記間隙にやぐら本体を構成する桟が位置するようにやぐら本体に取り付けたことを特徴とするものであり、発熱体ユニットと制御部とを同一の保護ガード上に固定することにより一体化し、この保護ガードをやぐらに取り付けるように構成することにより、発熱体ユニットおよび制御部を簡単にやぐらに取り付け、取り外しが出来る構造にしたものである。また、やぐらに取り付けた際にも、発熱体ユニットと制御部との間にやぐらの桟が位置するように構成されているため、制御部に使用された電子部品を発熱体ユニットからの温風による影響を木枠の桟で遮断できるものである。
【０００８】
（実施の形態）
以下本発明の請求項１及び請求項２に記載された発明の実施の形態について図１乃至図４を用いて説明する。図１は、本発明の一実施の形態における電気やぐらこたつの主要部概略斜視図であり、図１において、１４は、食卓台２の隅部に配置された操作部６の操作に応じて発生される制御信号でサブマイクロ波を変調して送信するリモコン送信部であり、図４に示すように食卓台２の表面側の裏面全面に設けられたアルミ箔などのシールド材１３の下方に位置し、上方からのノイズの遮蔽がなされている。
【０００９】
１はやぐら本体であり、その中央部には後述の構成よりなる発熱体ユニット３と、前記リモコン送信部１４から送信されたマイクロ波を受信するマイクロ波受信部１５が取り付けられている。また、発熱体ユニット３の側面にはマイクロ波受信アンテナ１５で受信した制御信号に応じて発熱体ユニット３の発熱量を制御する制御部５が配置されている。９はリモコン受信部１５から制御部５に信号を送る信号線である。
【００１０】
図２は、発熱体ユニット３および制御部５の保護ガードの一部を切除した平面図、図３は、発熱体ユニット３および制御部５の裏面図、図４は、発熱体ユニット３および制御部５の断面図である。
【００１１】
発熱体ユニット３は、金属板をプレス成型により二段の円錐台状の凹部２４が形成された反射板１８の前記凹部２４内に、モータ１７およびそのモータ１７により駆動されるファン１９が、両端が反射板１８に固定されたアームにより支持された構造となっている。そして、そのファン１９の外周部に位置するように電気発熱体２０が配置されている。
【００１２】
２１は剛性を有する針金などにより形成された網かご状の保護ガードであり、前記発熱体ユニット３と制御部５とが、図３に示すようにやぐら本体１を形成する桟１ａの幅以上の間隔Ｌを隔ててそれぞれ固定されている。この発熱体ユニット３と制御部５が固定された保護ガード２１は、図２に示すように予め保護ガード２１の一側面に形成された引っ掛けピン２２ａ，２２ｂ，２２ｃを、やぐら本体１を構成する桟に形成された係合穴に挿入し、然る後に、保護ガード２１の他方の側面を取付ビス２３ａ，２３ｂ，２３ｃによりやぐら本体１を構成する桟に固定することによりやぐら本体１に取付け、または取外しができる。
【００１３】
このとき、図４に示すようにやぐら本体１を構成する桟１ａが発熱体ユニット３と制御部５の間に形成された間隔Ｌ内に位置するように構成されている。すなわち、発熱体ユニット３からの温風熱により制御部５の電子部品の劣化を防止するようにやぐら本体１の桟１ａにより遮蔽する構造にしている。さらに、制御部５の外郭には放熱孔を下方および外方側面に設け電子部品の放熱をしやすくしている。
【００１４】
前記発熱体ユニット３の反射板１８の上部略中央にリモコン受信部１５を配置し、さらに食卓台２のリモコン送信部１４に対向した位置に取り付けられている。
【００１５】
以上のように構成された電気やぐらこたつについて以下動作を説明する。食卓台２の隅部に設けられた操作部６の温度設定スイッチを操作すると、制御信号で変調されたマイクロ波信号が食卓台２の略中央のリモコン送信部１４から送信される。送信されたマイクロ波信号はこたつ布団８を透過し、リモコン受信部１５で受信される。受信されたマイクロ波は、制御部５において制御信号が復調され、発熱体ユニット３の発熱量を制御する。使用するマイクロ波は、微弱電波を使用しておりマイクロ波受信アンテナには低損失で高効率な受信特性が要求されると共に、特に電気こたつにおいては低コスト、小スペースでリモコン送受信を行うことが重要となる。本構成の電気やぐらこたつのリモコン送信部は食卓台２の略中央に配置し、該リモコン送信部の上部にはアルミ箔などのシールド材を張りつけている。また、リモコン受信部は、プレス成形された金属板の反射板をシールド板とし、そのシールド板の上部にマイクロストリップアンテナを取り付けたリモコン受信部１５により構成されているため、反射板はシールド板としての機能をも備えているため、余分な部品を使用しなくてよいために発熱体ユニットが薄型にでき、組立ても簡単になりコストも安くできる。
【００１６】
【発明の効果】
以上のように、本発明によれば食卓台からリモコンで操作可能な電気やぐらこたつで外部ノイズを受けにくく、発熱体ユニットの薄型化が可能になり、信号処理部の電子部品の温度上昇を低減することが可能になる。
【図面の簡単な説明】
【図１】本発明の一実施の形態における電気やぐらこたつの主要概略斜視図
【図２】同電気やぐらこたつの発熱体ユニットおよび制御部の一部切欠平面図
【図３】同電気やぐらこたつの発熱体ユニットおよび制御部の一部切欠背面図
【図４】同電気やぐらこたつの発熱体ユニットおよび食卓台の主要部の断面図
【図５】従来の電気やぐらこたつの主要概略断面図
【符号の説明】
１  やぐら本体
１ａ  桟
２  食卓台
３  発熱体ユニット
５  制御部
６  操作部
１３  シールド板
１４  送信部
１５  受信部
１８  反射板
２０  発熱体
２１  保護ガード
２４  凹部
【図１】
0003567665.tif 000002
【図２】
0003567665.tif 000003
【図３】
0003567665.tif 000004
【図４】
0003567665.tif 000005
【図５】
0003567665.tif 000006